(57)【要約】【課題】養殖金網に付着した付着物の除去をより効率良く行うことが可能な養殖金網付着物除去装置及び除去方法を提供する。【解決手段】魚の養殖に用いられる養殖金網であり、水中に配置されるとともに接地される養殖金網１２に付着する付着物を除去する養殖金網付着物除去装置であって、養殖金網１２の近傍の水中に配置される電極部１６と、電極部１６に接続され、電極部１６と養殖金網１２との間に高電圧パルスを印加するパルス電源部１４と、を備え、高電圧パルスにより、電極部１６と養殖金網１２との間に放電を発生させ、養殖金網１２に付着した付着物を除去する。【選択図】図１
2019054772.tif 000002
【特許請求の範囲】
【請求項１】
魚の養殖に用いられる養殖金網であり、水中に配置されるとともに接地される養殖金網に付着する付着物を除去する養殖金網付着物除去装置であって、
前記養殖金網の近傍の前記水中に配置される電極部と、
前記電極部に接続され、前記電極部と前記養殖金網との間に高電圧パルスを印加するパルス電源部と、を備え、
前記高電圧パルスにより、前記電極部と前記養殖金網との間に放電を発生させ、前記養殖金網に付着した付着物を除去することを特徴とする養殖金網付着物除去装置。
【請求項２】
前記電極部は、並列に接続される複数の電極部材を含むことを特徴とする請求項１記載の養殖金網付着物除去装置。
【請求項３】
前記電極部材は、前記電極部材に直列接続されるインダクタを含めて並列に接続されることを特徴とする請求項２記載の養殖金網付着物除去装置。
【請求項４】
前記養殖金網を囲繞する筒状の金網であり、前記養殖金網に接続される囲繞金網を備えることを特徴とする請求項１〜３のいずれかに記載の養殖金網付着物除去装置。
【請求項５】
魚の養殖に用いられる養殖金網であり、水中に配置される養殖金網に付着する付着物を除去する養殖金網付着物の除去方法であって、
前記養殖金網を接地し、
前記養殖金網の近傍の前記水中に電極部を配置し、
前記電極部に接続され、前記電極部と前記養殖金網との間に高電圧パルスを印加するパルス電源部を設け、
前記高電圧パルスにより、前記電極部と前記養殖金網との間に放電を発生させ、前記付着物を除去することを特徴とする養殖金網付着物除去方法。
【請求項６】
前記電極部は、並列に接続される複数の電極部材を含むことを特徴とする請求項５記載の養殖金網付着物除去方法。
【請求項７】
前記電極部材は、前記電極部材に直列接続されるインダクタを含めて並列に接続されることを特徴とする請求項６記載の養殖金網付着物除去方法。
【請求項８】
前記養殖金網を囲繞する筒状の金網であり、前記養殖金網に接続される囲繞金網を備えることを特徴とする請求項５〜７のいずれかに記載の養殖金網付着物除去方法。
【発明の詳細な説明】
【技術分野】
【０００１】
本発明は、水中に設置されて魚の養殖に用いられる養殖金網に付着する貝類等の付着物を除去する養殖金網付着物除去装置及び除去方法に関する。
【０００２】
従来、新しい養殖金網を海中に設置してから数ヶ月〜半年後には、フジツボ等の貝類や海藻等が付着することが知られている。この様に貝類等が養殖金網に付着し、養殖金網の開口度が縮小したり汚れたりすると、海流の流れが悪くなり、養殖魚へのストレスやハダムシ病等の様々な病気を引き起こす原因となり、引いては養殖魚の生産性低下につながる。そのため、養殖業者にとっては、養殖金網の付着物を除去して養殖魚の生産性を維持させることは重要な課題である。
【０００３】
このような、付着物を除去するために、除去専用のロボットを用いる方法、或いは、ダイバーによる手動除去等が行われていた。しかしながら、除去専用ロボットは高価にもかかわらず海水で故障しやすい等のため、コストが高くなるという問題があった。また、ダイバー等が潜水して手動で除去する場合、人力に頼ることから時間がかかる、或いは、潜水による危険性が伴う等の問題があった。
【０００４】
そこで、このような問題に対して、例えば特許文献１の水生生物の除去及び付着防止方法が開示されている。
【先行技術文献】
【特許文献】
【０００５】
【特許文献１】特開２００４−８１１１９
【発明の概要】
【発明が解決しようとする課題】
【０００６】
特許文献１には、例えば生簀網の近傍に棒状電極を対向配置させ、その電極間で放電させ、その放電により発生する衝撃波によって生簀網等に付着した貝類等を除去する技術が開示されている。
【０００７】
ところが、特許文献１によれば、衝撃波源となる放電を生簀網から離れた電極間で発生させ、その放電による衝撃波を除去対象となる貝類等へ作用させるため、電極が配置される場所によっては、貝類へ加わる衝撃波の圧力が小さくなり、貝類の除去が不十分となる虞があるという問題があった。また、衝撃波源が一対の電極であることから、一回の放電により生成される衝撃波の作用範囲が限られるという問題があった。
【０００８】
そこで、本発明は、上記従来の問題に鑑みてなされたものであり、その目的は、養殖金網に付着した付着物の除去をより効率良く行うことが可能な養殖金網付着物除去装置及び除去方法を提供することにある。
【課題を解決するための手段】
【０００９】
請求項１の発明は、魚の養殖に用いられる養殖金網であり、水中に配置されるとともに接地される養殖金網に付着する付着物を除去する養殖金網付着物除去装置であって、前記養殖金網の近傍の前記水中に配置される電極部と、前記電極部に接続され、前記電極部と前記養殖金網との間に高電圧パルスを印加するパルス電源部と、を備え、前記高電圧パルスにより、前記電極部と前記養殖金網との間に放電を発生させ、前記養殖金網に付着した付着物を除去する、養殖金網付着物除去装置である。
【００１０】
請求項２の発明は、請求項１に記載の養殖金網付着物除去装置において、前記電極部は、並列に接続される複数の電極部材を含むことを特徴とする。
【００１１】
請求項３の発明は、請求項２に記載の養殖金網付着物除去装置において、前記電極部材は、前記電極部材に直列接続されるインダクタを含めて並列に接続されることを特徴とする。
【００１２】
請求項４の発明は、請求項１〜３のいずれかに記載の養殖金網付着物除去装置において、前記養殖金網を囲繞する筒状の金網であり、前記養殖金網に接続される囲繞金網を備えることを特徴とする。
【００１３】
請求項５の発明は、魚の養殖に用いられる養殖金網であり、水中に配置される養殖金網に付着する付着物を除去する養殖金網付着物の除去方法であって、前記養殖金網を接地し、前記養殖金網の近傍の前記水中に電極部を配置し、前記電極部に接続され、前記電極部と前記養殖金網との間に高電圧パルスを印加するパルス電源部を設け、前記高電圧パルスにより、前記電極部と前記養殖金網との間に放電を発生させ、前記付着物を除去する、養殖金網付着物除去方法である。
【００１４】
請求項６の発明は、請求項５記載の養殖金網付着物除去方法において、前記電極部は、並列に接続される複数の電極部材を含むことを特徴とする。
【００１５】
請求項７の発明は、請求項６の養殖金網付着物除去方法において、前記電極部材は、前記電極部材に直列接続されるインダクタを含めて並列に接続されることを特徴とする。
【００１６】
請求項８の発明は、請求項５〜７のいずれかに記載の養殖金網付着物除去方法において、前記養殖金網を囲繞する筒状の金網であり、前記養殖金網に接続される囲繞金網を備えることを特徴とする。
【発明の効果】
【００１７】
本発明によれば、魚の養殖に用いられる養殖金網であり、水中に配置されるとともに接地される養殖金網に付着する付着物を除去する養殖金網付着物除去装置であって、前記養殖金網の近傍の前記水中に配置される電極部と、前記電極部に接続され、前記電極部と前記養殖金網との間に高電圧パルスを印加するパルス電源部と、を備え、前記高電圧パルスにより、前記電極部と前記養殖金網との間に放電を発生させ、前記養殖金網に付着した付着物を除去する構成であるから、高電圧パルスによる放電が、接地された養殖金網に直接落ちることとなり、放電による衝撃波を確実に養殖金網に伝搬させることができるとともに、養殖金網に付着した貝類等の付着物に対する衝撃波の圧力をより高めることができるので、養殖金網に付着した付着物の除去をより効率良く行うことが可能な養殖金網付着物除去装置を提供できる。
【００１８】
また、前記電極部は、並列に接続される複数の電極部材を含む構成であるから、例えば並列接続される電極部材を、所定の間隔で配置すれば、一回あたりの放電により広範囲に衝撃波の圧力を及ぼすことができるので、更に効率良く付着物の除去を行うことが可能な養殖金網付着物除去装置を提供できる。
【００１９】
また、前記電極部材は、前記電極部材に直列接続されるインダクタを含めて並列に接続される構成であるから、仮に一つの電極部材でのみ放電が発生しても、短絡電流が大きくなったその電極ではインダクタの影響により放電維持が困難となり、２番目以降の電極部材での放電発生が可能になることから、複数の電極部材をパルス電源部に並列接続させても、それぞれの電極部材と養殖金網との間で安定に放電を発生させることが可能な養殖金網付着物除去装置を提供できる。
【００２０】
また、前記養殖金網を囲繞する筒状の金網であり、前記養殖金網に接続される囲繞金網を備える構成であるから、仮に電極部から養殖金網に向って放電が起きない場合等のトラブルがあっても、接地された囲繞金網に放電できるので、安全性が高い養殖金網付着物除去装置を提供できる。
【００２１】
また、魚の養殖に用いられる養殖金網であり、水中に配置される養殖金網に付着する付着物を除去する養殖金網付着物の除去方法であって、前記養殖金網を接地し、前記養殖金網の近傍の前記水中に電極部を配置し、前記電極部に接続され、前記電極部と前記養殖金網との間に高電圧パルスを印加するパルス電源部を設け、前記高電圧パルスにより、前記電極部と前記養殖金網との間に放電を発生させ、前記付着物を除去する構成であるから、高電圧パルスによる放電が、接地された養殖金網に直接落ちることとなり、放電による衝撃波を確実に養殖金網に伝搬させることができるとともに、養殖金網に付着した貝類等の付着物に対する衝撃波の圧力をより高めることができるので、養殖金網に付着した付着物の除去をより効率良く行うことが可能な養殖金網付着物除去方法を提供できる。
【００２２】
また、前記電極部は、並列に接続される複数の電極部材を含む構成であるから、例えば並列接続される電極部材を、所定の間隔で配置すれば、一回あたりの放電により広範囲に衝撃波の圧力を及ぼすことができるので、更に効率良く付着物の除去を行うことが可能な養殖金網付着物除去方法を提供できる。
【００２３】
また、前記電極部材は、前記電極部材に直列接続されるインダクタを含めて並列に接続される構成であるから、仮に一つの電極部材でのみ放電が発生しても、短絡電流が大きくなったその電極ではインダクタの影響により放電維持が困難となり、２番目以降の電極部材での放電発生が可能になることから、複数の電極部材をパルス電源部に並列接続させても、それぞれの電極部材と養殖金網との間で安定に放電を発生させることが可能な養殖金網付着物除去方法を提供できる。
【００２４】
また、前記養殖金網を囲繞する筒状の金網であり、前記養殖金網に接続される囲繞金網を備える構成であるから、仮に電極部から養殖金網に向って放電が起きない場合等のトラブルがあっても、接地された囲繞金網に放電できるので、安全性が高い養殖金網付着物除去方法を提供できる。
【図面の簡単な説明】
【００２５】
【図１】本発明の実施形態に係る養殖金網付着物除去装置を示す概念図である。
【図２】本発明の実施形態に係る養殖金網付着物除去装置のパルス電源部を示す回路図である。
【図３】本発明の実施形態に係る養殖金網付着物除去装置による実験例を示す図である。
【図４】本発明の実施形態に係る養殖金網付着物除去装置の変形例を示す概念図である。
【図５】本発明の実施形態に係る養殖金網付着物除去装置の他の変形例を示す概念図である。
【発明を実施するための形態】
【００２６】
本発明は、海水等の水中に配置されて魚の養殖に用いられる養殖金網に付着する貝類等の付着物を除去する養殖金網付着物除去装置であり、接地された養殖金網の近傍の水中に配置される電極部と、電極部に接続され、電極部と養殖金網との間に高電圧パルスを印加するパルス電源部と、を備え、高電圧パルスにより、電極部と養殖金網との間に放電を起こし、放電により発生する衝撃波を利用して養殖金網に付着した付着物を除去するものである。
また、本発明は、魚の養殖に用いられる養殖金網であり、水中に配置される養殖金網に付着する付着物を除去する養殖金網付着物の除去方法であって、養殖金網を接地し、養殖金網の近傍の水中に電極部を配置し、電極部に接続され、電極部と養殖金網との間に高電圧パルスを印加するパルス電源部を設け、高電圧パルスにより、前記電極部と前記養殖金網との間に放電を発生させ、放電により発生する衝撃波を利用して養殖金網に付着した付着物を除去する方法である。
【００２７】
以下、本発明の実施形態について図を用いて説明する。以下の説明において、水は海水を例にとって説明するが、水は川の水であっても良いし、池の水であっても良い。
本実施形態の養殖金網付着物除去装置１０は、図１に示す様に、養殖金網１２と、電極部１６と、パルス電源部１４とを備える。
【００２８】
養殖金網１２は、例えば鉄線或いは銅線を用いた金網により、図１に示すように、有底円筒状に形成され、接地される。なお、養殖金網１２は、有底円筒状に限るものではなく、有底角筒状等の有底筒状であればよい。
電極部１６は、例えばステンレスや銅タングステン等の金属製で、図１に示す様に、棒状或いは針状の電極部材１７を備える。そして、電極部材１７は、図１に示す様に、長手方向を縦方向に向けた状態で、養殖金網１２の近傍位置に配置され、後述するパルス電源部１４の高圧側出力端子２６（図２参照）に接続される。
【００２９】
次に、パルス電源部１４は、図２に示す様に、パルス高電圧発生回路で形成される。図２において、符号１８は、直流電源、符号１９は、保護抵抗、符号２０は、切り替えスイッチ、符号２２は、コンデンサ、符号２４は、パルスの出力部をそれぞれ示す。切り替えスイッチ２０の接点を保護抵抗１９側にすると、直流電源１８によりコンデンサ２２に電荷が蓄積され、替えスイッチ２０の接点を出力部２４側にすると、コンデンサ２２に蓄積された電荷が出力部２４から放電される。
【００３０】
本実施形態においては、コンデンサ２２に蓄積されたエネルギーによって、電極部１６と、より詳しくは電極部材１７の先端近傍と、接地された養殖金網１２との間で、水中アーク放電を発生させ、このアーク放電により生成される衝撃波が養殖金網１２に作用して付着した貝類を除去できるのである。
【００３１】
（実験結果）
図３（ａ）に示す様に、養殖金網１２と同じ構造のテスト金網２８に、付着物としての貝類２９を付着させ、養殖金網付着物除去装置１０を用いて、貝類の除去実験を行った。
本実験のパルス電源部１４は、直流電源１８の電圧値を３８ｋＶ、コンデンサ２２の容量を３．２μＦ、保護抵抗を１ＭΩとし、切り替えスイッチ２０は、メカニカルスイッチを用いた。そして、コンデンサ２２に蓄積された電荷が出力部２４から放電される際に、８ｋＡのパルス電流値を得た。
この様な、パルス放電を１０回繰り返したところ、図３（ｂ）に示す様に、パルス放電を印加した箇所の直径５ｃｍ〜１０ｃｍの範囲において、付着した貝類２９の除去を確認できた。このような実験を２回繰り返し、２回とも貝類２９の除去を確認できた。尚、図３において、符号３１は、テスト金網２８に付着した藻類を示す。
更に、パルス放電の繰り返し回数を増やすことで、テスト金網２８に付着した藻類３１や錆も除去されることが確認できた。
【００３２】
（第２変形例）
次に、本実施形態の第２変形例について図４を用いて説明する。
第２変形例の養殖金網付着物除去装置３０は、図４に示す様に、養殖金網１２を囲繞する筒状の金網であり、養殖金網１２に接続される囲繞金網３２を備える。
このような構成とすることで、仮に電極部１６から養殖金網１２に向って放電が起きない等のトラブルがあっても、養殖金網１２に接続されて接地された囲繞金網３２に放電できるので、安全性が高い養殖金網付着物除去装置を提供できる。
【００３３】
（第３変形例）
次に、本実施形態の第３変形例について図５を用いて説明する。
第３変形例の養殖金網付着物除去装置３４は、図５に示す様に、電極部３６は、並列に接続される複数の電極部材１７を含む。より詳しくは、図５に示す様に、複数の電極部材１７が並列接続され、パルス電源部１４の高圧側出力端子２６に接続される。
【００３４】
その際、好ましくは、図５に示す様に、電極部材１７は、それぞれの電極部材１７にインダクタ３８を直列に接続し、インダクタ３８を含めて、並列に接続されると良い。具体的には、図５に示す様に、それぞれの電極部材１７にインダクタ３８を直列接続し、インダクタンス３８の電極部材１７との接続側と反対側をパルス電源部１４の高圧側出力端子２６に接続すると良い。
【００３５】
この様な構成とすることで、例えば電極部材１７を、衝撃波の圧力が及ぶ距離等の所定の間隔で並列配置すれば、一回あたりの放電により、養殖金網１２の広範囲に衝撃波の圧力を及ぼすことができる。そのため、さらに効率良く付着物の除去を行うことが可能な養殖金網付着物除去装置３４を提供できる。
【００３６】
また、仮に一つの電極部材１７でのみ放電が発生しても、短絡電流が大きくなったその電極部材１７では、インダクタ３８の影響により放電維持が困難となる。すなわち、放電が発生した電極部材１７に接続されるインダクタ３８を流れる電流をｉとし、当該インダクタ３８のインダクタンスをＬとすると、インダクタ３８に発生する逆起電力＝Ｌｄｉ／ｄｔにより当該電極部材１７での放電維持が困難となる。そうすると、２番目以降の電極部材１７での放電発生が可能になることから、複数の電極部材１７をパルス電源部１４に並列接続させても、それぞれの電極部材１７と養殖金網１２との間で安定に放電を発生させることができる。
【００３７】
これまで説明した様に、本実施形態の養殖金網付着物除去装置１０，３０，３４並びに養殖金網付着物除去方法によれば、養殖金網に付着した付着物の除去をより効率良く行うことが可能な養殖金網付着物除去装置及び除去方法を提供できる。
【００３８】
以上、本発明の実施形態のうちのいくつかを図面に基づいて詳細に説明したが、これらはあくまでも例示であり、当業者の知識に基づいて種々の変形、改良を施した他の形態で本発明を実施することが可能である。
【符号の説明】
【００３９】
１０，３０，３４  養殖金網付着物除去装置
１２  養殖金網
１４  パルス電源部
１６，３６  電極部
１７  電極部材
２９  貝類（付着物）
３２  囲繞金網
３８  インダクタ
【図１】
2019054772.tif 000003
【図２】
2019054772.tif 000004
【図３】
2019054772.tif 000005
【図４】
2019054772.tif 000006
【図５】
2019054772.tif 000007